【手続補正書】
【提出日】平成26年2月17日(2014.2.17)
【手続補正１】
【補正対象書類名】特許請求の範囲
【補正対象項目名】全文
【補正方法】変更
【補正の内容】
【特許請求の範囲】
【請求項１】
出力デバイスにおける、デバイス非依存色空間からデバイス依存色空間への色変換特性を記述する第１の色変換テーブルと、前記デバイス依存色空間から前記デバイス非依存色空間への色変換特性を記述する第２の色変換テーブルと、該第１および第２の色変換テーブルを用いて作成された、前記デバイス非依存色空間の複数のパッチデータからなるチャートデータを保持する保持手段と、
前記チャートデータにおける各パッチデータの値である基準値と、該チャートデータにより前記出力デバイスが出力するチャート画像における各パッチの測色値、を取得する取得手段と、
前記基準値と対応する前記測色値との差分ベクトルのうち、前記第１の色変換テーブルの補正に用いる差分ベクトルを選別する選別手段と、
該選別された差分ベクトルを用いて前記第１の色変換テーブルの各格子点の出力値を補正するテーブル補正手段と、
前記第２の色変換テーブルおよび前記テーブル補正手段で補正された前記第１の色変換テーブルを用いて、前記出力デバイスによって出力される画像データを前記デバイス依存色空間上で補正する第３の色変換テーブルの格子点を表すデータを変換した結果を、該格子点の出力値に設定するテーブル作成手段と、
前記選別手段で選別されなかった差分ベクトルに対応する新たなパッチデータを、その周辺の差分ベクトルまたは格子点、および前記テーブル補正手段で補正された前記第１の色変換テーブルを用いて算出して、新たなチャートデータを作成するチャートデータ作成手段と、を有し、
前記チャートデータ作成手段で作成された新たなチャートデータを用いて、再度、前記取得手段により基準値と測定値を取得し、前記テーブル補正手段により補正を行い、前記テーブル作成手段によりテーブル作成を行うことを特徴とする画像処理装置。
【請求項２】
前記選別手段は、全ての前記差分ベクトルのうち、その大きさが第１の閾値を超える差分ベクトルを除外した残りの差分ベクトルを、前記第１の色変換テーブルの補正に用いる差分ベクトルとすることを特徴とする請求項１に記載の画像処理装置。
【請求項３】
前記選別手段は、前記差分ベクトルにおける任意の注目差分ベクトルについて、前記デバイス非依存色空間において該注目差分ベクトルから所定範囲内にある差分ベクトルを探索し、周辺差分ベクトルとして抽出する周辺差分の探索手段と、
前記注目差分ベクトルとの大きさの差が第２の閾値を越える前記周辺差分ベクトルの数が第１の割合以上となった場合に、該注目差分ベクトルを除外する第１の除外手段と、
前記注目差分ベクトルとのなす角度が第３の閾値を越える前記周辺差分ベクトルの数が第２の割合以上となった場合に、該注目差分ベクトルを除外する第２の除外手段と、を有し、
全ての前記差分ベクトルのうち、前記第１および第２の除外手段により除外されずに残った差分ベクトルを、前記第１の色変換テーブルの補正に用いる差分ベクトルとすることを特徴とする請求項１に記載の画像処理装置。
【請求項４】
前記テーブル補正手段は、前記第１の色変換テーブルにおける前記デバイス非依存色空間の各格子点について、前記差分ベクトルに対応する前記基準値との距離を算出する距離算出手段と、
該距離が第４の閾値を超えない前記基準値に対応する前記差分ベクトルと、当該格子点を表すデータとの加算値を算出する加算手段と、
該加算値に対応する前記デバイス依存色空間の値を前記第１の色変換テーブルを用いて算出し、該算出された値を当該格子点の出力値とする補正手段と、
を有することを特徴とする請求項１乃至３のいずれか１項に記載の画像処理装置。
【請求項５】
前記チャートデータ作成手段は、前記選別手段で選別されなかった差分ベクトルに対応する前記基準値を取得する基準値取得手段と、
全ての前記差分ベクトル、および前記第１の色変換テーブルの格子点のうち、前記基準値取得手段で取得した基準値に最も近い差分ベクトルまたは格子点を抽出する抽出手段と、
前記基準値取得手段で取得した前記基準値と、前記抽出手段で抽出された差分ベクトルに対応する前記基準値、または該抽出手段で抽出された前記格子点と、を結ぶ線分の中心点を算出する中心点算出手段と、
前記中心点に対応するパッチデータを、前記テーブル補正手段で補正された前記第１の色変換テーブルを用いて算出するパッチデータ算出手段と、
該算出されたパッチデータを前記基準値取得手段で取得した基準値ごとに配置して前記新たなチャートデータを作成するパッチデータの配置手段と、
を有することを特徴とする請求項１乃至４のいずれか１項に記載の画像処理装置。
【請求項６】
前記パッチデータの配置手段は、前記パッチデータ算出手段で算出されたパッチデータのみを配置して前記新たなチャートデータを作成することを特徴とする請求項５に記載の画像処理装置。
【請求項７】
前記パッチデータの配置手段は、前記保持手段に保持された前記チャートデータにおける、前記選別手段で選別されなかった差分ベクトルに対応するパッチデータを、前記パッチデータ算出手段で算出されたパッチデータに置き換えて前記新たなチャートデータを作成することを特徴とする請求項５に記載の画像処理装置。
【請求項８】
前記デバイス依存色空間は、少なくともシアン、マゼンタ、イエローの3色に対応する3次元の色空間であることを特徴とする請求項１乃至７のいずれか１項に記載の画像処理装置。
【請求項９】
前記第３の色変換テーブルは、前記3色にブラックを加えた4色に対応する4次元の色空間上において前記画像データの色変換の関係を示すテーブルであることを特徴とする請求項８に記載の画像処理装置。
【請求項１０】
出力デバイスにおける、デバイス非依存色空間からデバイス依存色空間への色変換特性を記述する第１の色変換テーブルと、前記デバイス依存色空間から前記デバイス非依存色空間への色変換特性を記述する第２の色変換テーブルと、該第１および第２の色変換テーブルを用いて作成された、前記デバイス非依存色空間の複数のパッチデータからなるチャートデータを保持する保持手段と、
前記チャートデータにおける各パッチデータの値である基準値と、該チャートデータにより前記出力デバイスが出力するチャート画像における各パッチの測色値を取得する取得手段と、
前記基準値と対応する前記測色値との差分ベクトルのうち、前記第１の色変換テーブルの補正に用いる差分ベクトルを選別する選別手段と、
該選別された差分ベクトルを用いて前記第１の色変換テーブルの各格子点の出力値を補正するテーブル補正手段と、
前記第２の色変換テーブルおよび前記テーブル補正手段で補正された前記第１の色変換テーブルを用いて、前記出力デバイスによって出力される画像データを前記デバイス依存色空間上で補正する第３の色変換テーブルの格子点を表すデータを変換した結果を、該格子点の出力値に設定するテーブル作成手段と、
を有し、
前記選別手段は、前記差分ベクトルのうち、その大きさが第１の閾値を超える差分ベクトルを除外した残りの差分ベクトルを、前記第１の色変換テーブルの補正に用いる差分ベクトルとすることを特徴とする画像処理装置。
【請求項１１】
出力デバイスにおける、デバイス非依存色空間からデバイス依存色空間への色変換特性を記述する第１の色変換テーブルと、前記デバイス依存色空間から前記デバイス非依存色空間への色変換特性を記述する第２の色変換テーブルと、該第１および第２の色変換テーブルを用いて作成された、前記デバイス非依存色空間の複数のパッチデータからなるチャートデータと、を保持する保持手段、取得手段、選別手段、テーブル補正手段、テーブル作成手段、およびチャートデータ作成手段を有する画像処理装置における画像処理方法であって、
前記取得手段が、前記チャートデータにおける各パッチデータの値である基準値と、該チャートデータにより前記出力デバイスが出力するチャート画像における各パッチの測色値を取得し、
前記選別手段が、前記基準値と対応する前記測色値との差分ベクトルのうち、前記第１の色変換テーブルの補正に用いる差分ベクトルを選別し、
前記テーブル補正手段が、該選別された差分ベクトルを用いて前記第１の色変換テーブルの各格子点の出力値を補正し、
前記テーブル作成手段が、前記第２の色変換テーブルおよび前記テーブル補正手段で補正された前記第１の色変換テーブルを用いて、前記出力デバイスによって出力される画像データを前記デバイス依存色空間上で補正する第３の色変換テーブルの格子点を表すデータを変換した結果を、該格子点の出力値に設定し、
前記チャートデータ作成手段が、前記選別手段で選別されなかった差分ベクトルに対応する新たなパッチデータを、その周辺の差分ベクトルまたは格子点、および前記テーブル補正手段で補正された前記第１の色変換テーブルを用いて算出して、新たなチャートデータを作成し、
前記チャートデータ作成手段で作成された新たなチャートデータを用いて、再度、前記取得手段が基準値と測定値を取得し、前記テーブル補正手段が補正を行い、前記テーブル作成手段がテーブル作成を行うことを特徴とする画像処理方法。
【請求項１２】
出力デバイスにおける、デバイス非依存色空間からデバイス依存色空間への色変換特性を記述する第１の色変換テーブルと、前記デバイス依存色空間から前記デバイス非依存色空間への色変換特性を記述する第２の色変換テーブルと、該第１および第２の色変換テーブルを用いて作成された、前記デバイス非依存色空間の複数のパッチデータからなるチャートデータと、を保持する保持手段、取得手段、選別手段、テーブル補正手段、テーブル作成手段、およびチャートデータ作成手段を有する画像処理装置における画像処理方法であって、
前記取得手段が、前記チャートデータにおける各パッチデータの値である基準値と、該チャートデータにより前記出力デバイスが出力するチャート画像における各パッチの測色値を取得し、
前記選別手段が、前記基準値と対応する前記測色値との差分ベクトルのうち、その大きさが第１の閾値を超える差分ベクトルを除外した残りの差分ベクトルを、前記第１の色変換テーブルの補正に用いる差分ベクトルとして選別し、
前記テーブル補正手段が、該選別された差分ベクトルを用いて前記第１の色変換テーブルの各格子点の出力値を補正し、
前記テーブル作成手段が、前記第２の色変換テーブルおよび前記テーブル補正手段で補正された前記第１の色変換テーブルを用いて、前記出力デバイスによって出力される画像データを前記デバイス依存色空間上で補正する第３の色変換テーブルの格子点を表すデータを変換した結果を、該格子点の出力値に設定することを特徴とする画像処理方法。
【請求項１３】
コンピュータ装置で実行されることにより、該コンピュータ装置を請求項１乃至１０のいずれか１項に記載の画像処理装置の各手段として機能させるためのプログラム。
【手続補正２】
【補正対象書類名】明細書
【補正対象項目名】００１１
【補正方法】変更
【補正の内容】
【００１１】
すなわち、出力デバイスにおける、デバイス非依存色空間からデバイス依存色空間への色変換特性を記述する第１の色変換テーブルと、前記デバイス依存色空間から前記デバイス非依存色空間への色変換特性を記述する第２の色変換テーブルと、該第１および第２の色変換テーブルを用いて作成された、前記デバイス非依存色空間の複数のパッチデータからなるチャートデータを保持する保持手段と、
前記チャートデータにおける各パッチデータの値である基準値と、該チャートデータにより前記出力デバイスが出力するチャート画像における各パッチの測色値、を取得する取得手段と、
前記基準値と対応する前記測色値との差分ベクトルのうち、前記第１の色変換テーブルの補正に用いる差分ベクトルを選別する選別手段と、
該選別された差分ベクトルを用いて前記第１の色変換テーブルの各格子点の出力値を補正するテーブル補正手段と、
前記第２の色変換テーブルおよび前記テーブル補正手段で補正された前記第１の色変換テーブルを用いて、前記出力デバイスによって出力される画像データを前記デバイス依存色空間上で補正する第３の色変換テーブルの格子点を表すデータを変換した結果を、該格子点の出力値に設定するテーブル作成手段と、
前記選別手段で選別されなかった差分ベクトルに対応する新たなパッチデータを、その周辺の差分ベクトルまたは格子点、および前記テーブル補正手段で補正された前記第１の色変換テーブルを用いて算出して、新たなチャートデータを作成するチャートデータ作成手段と、を有し、
前記チャートデータ作成手段で作成された新たなチャートデータを用いて、再度、前記取得手段により基準値と測定値を取得し、前記テーブル補正手段により補正を行い、前記テーブル作成手段によりテーブルの作成を行うことを特徴とする。